(57)【要約】      （修正有）【課題】設置作業のための時間と費用を抑えることができ落下防止ユニットを提供する。【解決手段】落下防止ユニット１０は、枠組足場の長手方向に沿って水平に設けられているガイドレール１１ａを含んだレール装置１１と、このレール装置１１に吊り下げられているパネル１２と、を含んで構成されている。パネル１２は、枠組足場と建物の張出柱２０ａとの間に位置されている。そしてパネル１２は、レール装置１１から鉛直に吊り下げられる垂下状態と、パネル１２の下部分が建物に挿入されている傾斜状態との間で姿勢変更が可能である。この落下防止ユニット１０により、パネル１２を垂下状態と傾斜状態とすることができる。よって、破砕作業を行う箇所の移動に合わせてパネル１２を移動すると、設置作業のための時間と費用を抑えることができる。【選択図】図１
0003215062.tif 000002
【実用新案登録請求の範囲】
【請求項１】
枠組足場の長手方向に沿って水平に設けられているガイドレールを含んだレール装置と、
該レール装置に吊り下げられているパネルと、を含んで構成されており、
前記パネルは、前記枠組足場と建物との間に位置されるとともに、
前記パネルは、前記レール装置から鉛直に吊り下げられる垂下状態と、前記パネルの下部分が建物に挿入されている傾斜状態との間で姿勢変更が可能である、
ことを特徴とする落下防止ユニット。
【請求項２】
前記パネルの上部分の両側には、
前記ガイドレールの長手方向に延びる補助面が設けられている、
ことを特徴とする請求項１記載の落下防止ユニット。
【請求項３】
前記パネルの下部分には、
前記パネルの下部分を前記建物に引掛けることができる掛止体が設けられている、
ことを特徴とする請求項１または２記載の落下防止ユニット。
【請求項４】
前記パネルは、
金属製の枠と、木製の平板とを含んで構成されている、
ことを特徴とする請求項１から３のいずれかに記載の落下防止ユニット。
【考案の詳細な説明】
【技術分野】
【０００１】
本考案は、落下防止ユニットに関する。さらに詳しくは、建物と枠組足場との間の空間をカバーして、破砕片等の落下を防止する落下防止ユニットに関する。
【背景技術】
【０００２】
高度経済成長時代から半世紀近く経過し、その時代に数多く建設された高層ビルの大規模な補修工事や、取り壊して新たに高層ビルを建てる新築工事の需要が高まっている。これらの工事が行われる際には、高層ビルの周辺に作業員が利用するための枠組足場が設けられる。特許文献１には、この枠組足場に設けられる落下防止パネルが開示されている。この落下防止パネルは、枠組足場から道路側に逆ひさし状に張り出しており、建築資材や工具などが道路に落下するのを防止する。
【０００３】
これに対し、高層ビルの取り壊し工事の際は、コンクリートの破砕片が地上に落下するのを防止するために、高層ビルと枠組足場との間に落下防止パネルが設置されることがある。この落下防止パネルは、枠組足場からひさし状に張り出し、上から落下した破砕片を高層ビルの建物内部に導いている。
【０００４】
従来、高層ビルと枠組足場との間に落下防止パネルが設置される場合、水平面内において、枠組足場の長手方向の間の全てをカバーするように落下防止のためのパネルを設置していた。このようにした場合、パネルの枚数が多くなり、設置作業のための時間と費用がかかるという問題がある。
【０００５】
また強風があった場合には、安全のためにパネルを取り外す必要が生じることがあり、この場合パネルの枚数が多いと作業量が膨大になるという問題がある。
【先行技術文献】
【特許文献】
【０００６】
【特許文献１】特開２００４−９２１５８号公報
【考案の概要】
【考案が解決しようとする課題】
【０００７】
本考案は上記事情に鑑み、設置作業のための時間と費用を抑えることができ落下防止ユニットを提供することを目的とする。
【課題を解決するための手段】
【０００８】
第１考案の落下防止ユニットは、枠組足場の長手方向に沿って水平に設けられているガイドレールを含んだレール装置と、該レール装置に吊り下げられているパネルと、を含んで構成されており、前記パネルは、前記枠組足場と建物との間に位置されるとともに、前記パネルは、前記レール装置から鉛直に吊り下げられる垂下状態と、前記パネルの下部分が建物に挿入されている傾斜状態との間で姿勢変更が可能であることを特徴とする。
第２考案の落下防止ユニットは、前記パネルの上部分の両側には、前記ガイドレールの長手方向に延びる補助面が設けられていることを特徴とする。
第３考案の落下防止ユニットは、前記パネルの下部分には、前記パネルの下部分を前記建物に引掛けることができる掛止体が設けられていることを特徴とする。
第４考案の落下防止ユニットは、前記パネルは、金属製の枠と、木製の平板とを含んで構成されていることを特徴とする。
【考案の効果】
【０００９】
第１考案によれば、落下防止ユニットがレール装置から吊り下げられている垂下状態では、ガイドレールに沿ってパネルが移動可能である。また、傾斜状態としてパネルの下部が、窓を通して建物内に入ると、落下防止ユニットは、破砕作業により生じた破砕片を建物内に導入でき、破砕片が外部に落下することを抑制できる。よって、パネルを枠組足場の長手方向に亘って設置する必要がなく、破砕作業を行う箇所の移動に合わせてパネルを移動すると、設置作業のための時間と費用を抑えることができる。
第２考案によれば、パネルの上部分の両側には、ガイドレールの長手方向に延びる補助面が設けられていることにより、建物の突出部分まわりで枠組足場側に落ちる落下物を受け止めて建物内部へ導入することができる。
第３考案によれば、パネルの下部分に、建物に引掛けることができる掛止体が設けられていることにより、シンプルな構成で、パネルの姿勢を窓に挿入した状態にすることができる。
第４考案によれば、パネルが、金属製の枠と、木製の平板とを含んで構成されていることにより、必要な剛性を確保しながら重量を軽くできる。これにより全体のユニットを簡素にできるとともに、パネルの移動を容易に行うことができる。
【図面の簡単な説明】
【００１０】
【図１】本考案の第１実施形態に係る落下防止ユニットの正面図である。
【図２】図１の落下防止ユニットの側面図である。
【図３】図１の落下防止ユニットの平面図である。
【図４】図１の落下防止ユニットを斜視方向から見た説明図である。
【図５】図１の落下防止ユニットを構成するパネルの枠の正面図である。
【図６】図１の落下防止ユニットの使用説明図である。
【考案を実施するための形態】
【００１１】
つぎに、本考案の実施形態を図面に基づき説明する。ただし、以下に示す実施の形態は、本考案の技術思想を具体化するための落下防止ユニット１０を例示するものであって、本考案は落下防止ユニット１０を以下のものに特定しない。なお、各図面が示す部材の大きさまたは位置関係等は、説明を明確にするため誇張していることがある。
【００１２】
（落下防止ユニット１０の構成）
図１には本考案の第１実施形態に係る落下防止ユニット１０の正面図、図２にはその側面図、図３にはその平面図を示す。図２では、落下する破砕片１５を合わせて記載している。図４には、落下防止ユニット１０を、枠組足場１３の踏板に立って見た斜視方向からの説明図であり、詳しくは落下防止ユニット１０を基準として枠組足場１３に向かい、左側近傍から落下防止ユニット１０を見た図である。また、わかりやすいように図３、４では、パネル１２を構成する平板１２ｂを外した状態を記載している。
【００１３】
本考案に係る落下防止ユニット１０は、図２および図３に示すように建物２０と枠組足場１３との間の空間において物体の落下を防止するための部材である。この落下防止ユニット１０は、レール装置１１と、パネル１２とを含んで構成されている。
【００１４】
レール装置１１は、ガイドレール１１ａと転動体付吊り具１１ｂとを含んで構成されている。レール装置１１のガイドレール１１ａは水平になるように枠組足場１３の手すり１６に固定されている。ただし、ガイドレール１１ａが固定されるのは手すりに限らず、枠組足場１３に水平に設けられた部材であれば特に問題ない。
【００１５】
図２に示すように、ガイドレール１１ａの断面（ガイドレール１１ａの長手方向に垂直な平面での断面）は、四角柱の断面形状であり、下方の辺の中央に開口部を有している。ガイドレール１１ａの下方の辺の上を、転動体付吊り具１１ｂのローラが転がることで、ガイドレール１１ａに対して転動体付吊り具１１ｂが、図２の奥行き方向に動作する。ガイドレール１１ａの材質は鉄製であることが望ましい。断面形状をコンパクトにしながら、十分な剛性を得ることができるからである。
【００１６】
転動体付吊り具１１ｂは、２つのローラを有している。２つのローラの軸心が重なるように、２つのローラは配置されている。２つのローラはガイドレール１１ａの下方の辺の上面を転がる。また、２つのローラに挟まれるように、転動体付吊り具１１ｂにはシャックルが設けられている。
【００１７】
パネル１２は、図１および図２に示すように転動体付吊り具１１ｂに吊られている。また図５にはパネル１２の枠１２ａの正面図を示す。パネル１２は図５に示す金属製の枠１２ａと、木製の平板１２ｂとを含んで構成されている。
【００１８】
枠１２ａの大きさのうち図５の上下方向の長さは、建物２０と枠組足場１３との間の距離により決定される。建物２０の外側に図３で示すような張出柱２０ａのような突出部分がある場合、建物２０と枠組足場１３との間の距離は長くなり、図５における枠１２ａの上下方向の長さは長くなる。
【００１９】
枠１２ａの大きさのうち、補助面１２ｅがない下部分の長さ（図５の左右方向の長さのうち下部分の長さ）は、建物２０の突出部分である張出柱２０ａの内側に入る長さである。
【００２０】
また補助面１２ｅがある上部分の長さ（図５の左右方向の長さのうち補助面１２ｅを含む、最も長い部分の長さ）は、建物２０の窓用開放部２０ｂ間の長さにより決定される。高層ビルなどの建物２０の水平方向は、通常同じ寸法で窓用開放部２０ｂが設けられている。この窓用開放部２０ｂの水平方向の中心間距離により枠１２ａの補助面１２ｅを含む左右方向の長さが決定される。すなわち補助面１２ｅの、ガイドレール１１ａの長手方向の長さは、突出部分である張出柱２０ａの水平方向の半分の長さより少し短い長さとなる。このような長さとすることで、隣接するパネル１２同士が接触することを避けることができる。
【００２１】
枠１２ａの構成は、例えば図５に示すように、図５の上側では、２本の水平枠と、３本の垂直枠とを溶接で接合し、図５の下側で、その上側の枠組みに４本の垂直枠と３本の水平枠を溶接している。ただし、この構成はこの形態に限定されるものではない。
【００２２】
枠１２ａの最下辺には、図１、２に示す掛止体１２ｄを差込むための差込み部１２ｃが設けられている。差込み部１２ｃは、枠１２ａにパイプを溶接して構成されている。
【００２３】
図２に示すように、この差込み部１２ｃに差し込まれた掛止体１２ｄにより、パネル１２の下部分を建物２０に引掛けることができる。この引掛けた状態は、パネル１２の最下辺が、パネル１２の最上辺よりも建物２０に近接している状態の１態様である。
【００２４】
また枠１２ａの最上辺には、アイボルト１２ｆが設けられている。このアイボルト１２ｆにより、パネル１２は転動体付吊り具１１ｂに吊り下げられている。
【００２５】
パネル１２を構成する、木製の平板１２ｂは、図１に示すように枠１２ａを覆う形状であり、番線で枠１２ａに取り付けられている。なお平板１２ｂの取付は、ねじなどで行うことも可能である。
【００２６】
上記の構成を落下防止ユニット１０が有することにより、落下防止ユニット１０は以下のような効果を奏する。
【００２７】
すなわち、落下防止ユニット１０がレール装置１１から吊り下げられている垂下状態では、ガイドレール１１ａに沿ってパネル１２が移動可能である。また、傾斜状態としてパネル１２の下部が、窓を通して建物２０内に入ると、落下防止ユニット１０は、破砕作業により生じた破砕片１５を建物内に導入でき、破砕片１５が外部に落下することを抑制できる。よって、パネル１２を枠組足場１３の長手方向に亘って設置する必要がなく、破砕作業を行う箇所の移動に合わせてパネル１２を移動すると、設置作業のための時間と費用を抑えることができる。
【００２８】
次にパネル１２の上部分の両側には、ガイドレール１１ａの長手方向に延びる補助面１２ｅが設けられていることにより、建物２０の突出部分まわりで枠組足場１３側に落ちる落下物を受け止めて建物２０内部へ導入することができる。
【００２９】
次にパネル１２の下部分に、建物２０に引掛けることができる掛止体１２ｄが設けられていることにより、シンプルな構成で、パネル１２の姿勢を窓に挿入した状態にすることができる。
【００３０】
次にパネル１２が、金属製の枠１２ａと、木製の平板１２ｂとを含んで構成されていることにより、必要な剛性を確保しながら重量を軽くできる。これにより全体のユニットを簡素にできるとともに、パネル１２の移動を容易に行うことができる。
【００３１】
（落下防止ユニット１０の使用方法）
最初に、落下防止ユニット１０の使用者は、枠組足場１３の外側に、長手方向に沿って、水平になるようにレール装置１１のガイドレール１１ａを取付ける。ガイドレール１１ａは、枠組足場１３の手すり１６に金具で固定する。なお、落下防止ユニット１０の重量が重い場合は、枠組足場１３に落下防止ユニット１０取付け専用の水平部材を設けても良い。
【００３２】
落下防止ユニット１０の使用者は、枠１２ａに平板１２ｂを取付けた状態のパネル１２を、レール装置１１の転動体付吊り具１１ｂに取り付ける。この段階では、パネル１２はガイドレール１１ａから鉛直状態となっている。
【００３３】
落下防止ユニット１０の使用者は、パネル１２を建物２０の、隣り合う２つの張出柱２０ａの中心に位置させる。このとき落下防止ユニット１０の使用者は差込み部１２ｃから掛止体１２ｄを取り外す。
【００３４】
次に落下防止ユニット１０の使用者は、建物２０からパネル１２の下部分を引張り、パネル１２の下部分を建物２０側に引き寄せる。そして、この状態で掛止体１２ｄを差込み部１２ｃに差し込み、掛止体１２ｄを窓用開放部２０ｂに引掛けることで、パネル１２の姿勢を決定する。
【００３５】
この状態で、上記パネル１２の上階で解体作業を行った場合、図２に示すように解体作業で発生する破砕片１５が建物２０と枠組足場１３との間に落下しても、破砕片１５はパネル１２にあたり、窓用開放部２０ｂから建物２０内に導かれる。これによりほとんどの破砕片１５が建物２０と枠組足場１３との間で、地上にまで落下することを防止できる。
【００３６】
次に上階での解体作業が、その階の他の部分に移ると、落下防止ユニット１０の使用者は、掛止体１２ｄを引き抜き、パネル１２を鉛直状態となるようにする。この状態で、落下防止ユニット１０の使用者は、図６の矢印で示すように、ガイドレール１１ａに沿ってパネル１２を移動させる。そして、落下防止ユニット１０の使用者は、次の場所でパネル１２を窓用開放部２０ｂに引掛けてパネル１２の姿勢を決定する。
【００３７】
なお、本実施形態では、パネル１２の上部分に補助面１２ｅを設ける構成としたが、建物２０に突出部分がない場合は、補助面１２ｅが設けられない場合がある。
【００３８】
また、本実施形態では、建物２０に掛止体１２ｄを設ける構成としたが、これに限定されない。例えば、パネル１２の下部分を窓用開放部２０ｄに引掛ける場合もある。
【符号の説明】
【００３９】
１０  落下防止ユニット
１１  レール装置
１１ａ  ガイドレール
１２  パネル
１２ａ  枠
１２ｂ  平板
１２ｄ  掛止体
１２ｅ  補助面
１３  枠組足場
２０  建物
【図１】
0003215062.tif 000003
【図２】
0003215062.tif 000004
【図３】
0003215062.tif 000005
【図４】
0003215062.tif 000006
【図５】
0003215062.tif 000007
【図６】
0003215062.tif 000008